(57)【要約】【目的】ＤＴＰで編集された組版データから容易に索引を作成する。【構成】オブジェクトのメタ情報領域に，そのオブジェクトのコンテンツを索引対象とするかどうかを示す索引指示と，そのオブジェクトが配置されたページのページ番号とを格納しておく。索引指示がコンテンツを索引とすべきことを示している場合に，そのオブジェクトからコンテンツとページ番号を読出して索引を作成する。オブジェクトがページをわたって移動したときには，オブジェクトのメタ情報領域のページ番号とそのオブジェクトが配置されているページのページ番号とを比較して，不一致であればオブジェクトのメタ情報領域のページ番号を修正する。【選択図】図11
2015103069.tif 000002
【特許請求の範囲】
【請求項１】
オブジェクトを台紙上の配置領域に関連づけるとともに該オブジェクトについて索引対象を表わす文字列を設定し，
オブジェクトのコンテンツ・データの流し込み処理においてた該オブジェクトが配置される台紙のページ番号を取得して該オブジェクトのメタ情報領域に格納し，
その後，オブジェクトから上記文字列とページ番号を取得して索引を作成する，
組版方法。
【請求項２】
索引対象の文字列が，オブジェクト・データ中に含まれた該オブジェクトのコンテンツを表わす文字列であり，前記の文字列を設定することが，該文字列を索引対象とするかどうかを示す指示情報をオブジェクトの前記メタ情報領域に格納することである，請求項１に記載の組版方法。
【請求項３】
前記メタ情報領域内の前記指示情報が，索引対象とすることを指示しているオブジェクトについて索引を作成する，請求項２に記載の組版方法。
【請求項４】
オブジェクトの配置ページが変更されたときに該オブジェクトのメタ情報領域のページ番号を変更後のページ番号に更新し，
更新後のページ番号で索引を修正する，
請求項１に記載の組版方法。
【請求項５】
台紙のページ番号と，そのページ番号のページの台紙に配置されているオブジェクトのメタ情報領域に格納されているページ番号とを比較し，
上記両ページ番号が異なる場合には，オブジェクトのメタ情報領域のページ番号を台紙のページ番号に一致するように更新し，
その後，オブジェクトから文字列とページ番号とを取得して，更新された索引を作成する，
索引更新方法を含む請求項１に記載の組版方法。
【請求項６】
記憶装置を備え，この記憶装置に，書籍の索引を作るべき各ページについて，そのページに配置されるオブジェクトについてのデータが保持され，各オブジェクトのメタ情報領域には，少なくとも，そのオブジェクトが配置されているページのページ番号についてのデータが格納されている組版装置において，
オブジェクトの配置ページの変更があった後に，
各ページのページ番号と，そのページに配置されているオブジェクトのメタ情報領域に格納されているページ番号とを比較し，
上記両ページ番号が異なる場合には，オブジェクトのメタ情報領域のページ番号をそのオブジェクトが配置されているページのページ番号に一致するように更新し，
その後，オブジェクトのメタ情報領域から更新されたページ番号のデータを取得して，更新された索引を作成する，
索引更新方法を含む組版方法。
【請求項７】
書籍の各ページに配置されるオブジェクトのデータ構造であり，該書籍の索引を作成するために，各オブジェクトに，
そのオブジェクトが配置されるページのページ番号を表わすデータと，
そのオブジェクトに関する索引対象を表わすデータとが相互に関連づけて含まれている，
オブジェクト・データ構造。
【請求項８】
オブジェクトを台紙上の配置領域に関連づけるとともに該オブジェクトについて索引対象を表わす文字列を設定するレイアウト手段，
オブジェクトのコンテンツ・データの流し込み処理において，該オブジェクトが配置される台紙のページ番号を取得して該オブジェクトのメタ情報領域に格納する流し込み手段，および
オブジェクトから上記文字列とページ番号を取得して索引を作成する索引作成手段，
を備える組版装置。
【請求項９】
オブジェクトの配置ページが変更されたときに該オブジェクトのメタ情報領域のページ番号を変更後のページ番号に更新するオブジェクト更新手段，および
更新後のページ番号で索引を修正する索引修正手段，
をさらに備える請求項８に記載の組版装置。
【請求項１０】
台紙のページ番号と，そのページ番号のページの台紙に配置されているオブジェクトのメタ情報領域に格納されているページ番号とを比較し，上記両ページ番号が異なる場合には，オブジェクトのメタ情報領域のページ番号を台紙のページ番号に一致するように更新するオブジェクト更新手段，および
オブジェクトのメタ情報領域から更新されたページ番号を取得して，更新された索引を作成する索引修正手段，
をさらに備える請求項８に記載の組版装置。
【請求項１１】
書籍の索引を作るべき各ページに配置されるオブジェクトについてのデータを記憶する記憶装置であって，各オブジェクトのメタ情報領域には，少なくともそのオブジェクトが配置されているページのページ番号についてのデータが格納されている記憶装置，および
各ページのページ番号と，そのページに配置されているオブジェクトのメタ情報領域に格納されているページ番号とを比較する比較手段と，
上記両ページ番号が異なる場合には，オブジェクトのメタ情報領域のページ番号をそのオブジェクトが配置されているページのページ番号に一致するように更新する手段と，
オブジェクトのメタ情報領域から更新されたページ番号のデータを取得して，更新された索引を作成する索引更新手段とを有する索引更新装置，
を備える組版装置。
【請求項１２】
オブジェクトを台紙上の配置領域に関連づけるとともに該オブジェクトについて索引対象を表わす文字列を設定し，
オブジェクトのコンテンツ・データの流し込み処理において，該オブジェクトが配置される台紙のページ番号を取得して該オブジェクトのメタ情報領域に格納し，
その後，オブジェクトから上記文字列とページ番号を取得して索引を作成するようにコンピュータを制御する，
組版プログラム。
【請求項１３】
オブジェクトの配置ページが変更されたときに該オブジェクトのメタ情報領域のページ番号を変更後のページ番号に更新し，
更新後のページ番号で索引を修正するようにコンピュータを制御する，
請求項12に記載の組版プログラム。
【請求項１４】
台紙のページ番号と，そのページ番号のページの台紙に配置されているオブジェクトのメタ情報領域に格納されているページ番号とを比較し，
上記両ページ番号が異なる場合には，オブジェクトのメタ情報領域のページ番号を台紙のページ番号に一致するように更新し，
その後，オブジェクトのメタ情報領域から更新されたページ番号を取得して，更新された索引を作成するようにコンピュータを制御する索引更新プログラムをさらに含む，
請求項12に記載の組版プログラム。
【請求項１５】
記憶装置を備え，この記憶装置に，書籍の索引を作るべき各ページについて，そのページに配置されるオブジェクトについてのデータが保持され，各オブジェクトのメタ情報領域には，少なくともそのオブジェクトが配置されているページのページ番号についてのデータが格納されている組版装置において，上記組版装置に含まれるコンピュータを，
オブジェクトの配置ページの変更があった後に，
各ページのページ番号と，そのページに配置されているオブジェクトのメタ情報領域に格納されているページ番号とを比較し，
上記両ページ番号が異なる場合には，オブジェクトのメタ情報領域のページ番号をそのオブジェクトが配置されているページのページ番号に一致するように更新し，
その後，オブジェクトのメタ情報領域から更新されたページ番号のデータを取得して，更新された索引を作成するように制御する索引更新プログラムを含む，
組版プログラム。
【発明の詳細な説明】
【技術分野】
【０００１】
この発明は組版装置，方法およびプログラムならびにこれらで用いられるオブジェクトのデータ構造に関する。
【背景技術】
【０００２】
カタログ，学術書，百科辞典等では，本文ページに加えて，語句や事項などを容易に探し出せるように索引のページを作成することが多い。ＤＴＰ（Desk Top Publishing ）では，索引対象となる語句や事項などを本文中から検索し，配置されているページ番号と紐付けすることにより索引を制作しているため，手間がかかり作業能率が悪いことが問題となっていた。また，本文の仕様変更に伴い，語句や事項などの配置が変更になり，その配置ページ番号が変更されることもある。この場合には，その都度，索引も変更しなければならず，作業負荷が大きい。
【０００３】
特許文献１に記載の自動組版システムは，検査案内書で使用するレイアウトのテンプレートへ検査情報データ（文字情報）を流し込んで，自動組版するとともに，自動組版の結果を元に索引データベースを作成し，索引を自動作成する。しかしながら，この自動組版システムにおいて索引を自動作成するには，自動組版の結果（ページ番号）を格納するデータベースおよびデータベースを搭載するサーバコンピュータを必要とし，専用のインフラ構築が必要となる。また，索引対象の文字列も本文の各ページ内の特定の項目に限定され，任意の文字を索引対象することができない。
【先行技術文献】
【特許文献】
【０００４】
【特許文献１】特開２００６−８５５１４号公報
【発明の開示】
【０００５】
この発明は，特別のデータベースを有するサーバコンピュータなどの専用インフラの構築を必ずしも必要とすることなく，索引を作成することができるようにすることを目的とする。
【０００６】
この発明はまた，索引の作成において索引対象の文字列を設定することができるようにすることを目的とする。
【０００７】
この発明はさらに，語句，事項，画像等の配置変更によりページを移ることがあっても，それに対応して容易に索引更新をすることができるようにすることを目的とする。
【０００８】
この発明による組版方法は，オブジェクトを台紙上の配置領域に関連づけるとともに該オブジェクトについて索引対象を表わす文字列を設定し，オブジェクトのコンテンツ・データの流し込み処理において，該オブジェクトが配置される台紙のページ番号を取得して該オブジェクトのメタ情報領域に格納し，その後，オブジェクトから上記文字列とページ番号を取得して索引を作成するものである。
【０００９】
索引対象とは語句（文字，数字，記号等からなる），事項，画像等であり，索引上ではこれらの索引対象は文字列で表現される。索引を構成する文字列は，一般にはオブジェクト・コンテンツ（語句，文章等）から取出される（オブジェクトの全部または一部を構成する文字列（ファイル名を含む）が設定される）。索引対象を表わす文字列は，ユーザが指定，選択するものでも，入力するものでもよい。オブジェクトには，索引対象の文字列とページ番号とが関連づけて格納されている。
【００１０】
書籍に使用されるオブジェクトについて文字列とページ番号とを取得して，文字列を適切な順序（アルファベット順，五十音順，数字の大きさの順等）に配列し，関連するページ番号を各文字列に付随させれば索引ができ上る。
【００１１】
好ましい実施態様では，索引対象の文字列が，オブジェクト・データ中に含まれた該オブジェクトのコンテンツを表わす文字列であり，前記の文字列を設定するとは，該文字列を索引対象とするかどうかを示す指示情報をオブジェクトの前記メタ情報領域に格納することである。この場合には，前記メタ情報領域内の前記指示情報が索引対象とすることを指示しているときに，そのオブジェクトについて索引を作成する。
【００１２】
この発明によると，索引の作成に必要な自動組版の結果（少なくともページ番号）をオブジェクトのメタ情報領域に書き込むため，データベースおよびデータベースを搭載するサーバコンピュータ等の専用インフラ構築を必要としない。また，オブジェクトのメタ情報格納領域を使用するので，そのために特別の記憶領域を必要とせず，自由度の高い設計が可能となる。
【００１３】
書籍の制作過程で校正を行い，オブジェクトの配置をページを超えて変更することがある。その場合には索引の修正（更新）が必要となる。
【００１４】
このような場合に，この発明の実施態様によると，オブジェクトの配置ページが変更されたときに該オブジェクトのメタ情報領域のページ番号を変更後のページ番号に更新し，更新後のページ番号で索引を修正（作成）する。このようにして，索引の修正に容易に対処できるようになる。
【００１５】
より具体的には，この発明の実施態様によると，索引更新方法は，台紙のページ番号と，そのページ番号のページの台紙に配置されているオブジェクトのメタ情報領域に格納されているページ番号とを比較し，上記両ページ番号が異なる場合には，オブジェクトのメタ情報領域のページ番号を台紙のページ番号に一致するように更新し，その後，オブジェクトから文字列とページ番号とを取得して，更新された索引を作成するものである。この索引更新方法によると，索引更新の自動化が可能となる。
【００１６】
この発明は組版装置における索引更新方法を提供している。この索引更新方法は，記憶装置を備え，この記憶装置に，書籍の索引を作るべき各ページについて，そのページに配置されるオブジェクトについてのデータが保持され，各オブジェクトのメタ情報領域には，少なくともそのオブジェクトが配置されているページのページ番号についてのデータが格納されている組版装置において，オブジェクトの配置ページの変更があった後に，各ページのページ番号と，そのページに配置されているオブジェクトのメタ情報領域に格納されているページ番号とを比較し，上記両ページ番号が異なる場合には，オブジェクトのメタ情報領域のページ番号をそのオブジェクトが配置されているページのページ番号に一致するように更新し，その後，オブジェクトのメタ情報領域からページ番号のデータを取得して，更新された索引を作成するものである。索引の自動更新が可能となる。
【００１７】
この発明は，上述した組版方法や索引更新方法に最適のオブジェクト・データ構造を提供している。
【００１８】
この発明によるオブジェクト・データ構造は，書籍の各ページに配置されるオブジェクトのデータ構造であり，該書籍の索引を作成するために，各オブジェクトに，そのオブジェクトが配置されるページのページ番号を表わすデータと，そのオブジェクトに関する索引対象を表わすデータとが相互に関連づけて含まれていることを特徴とするものである。好ましくは，索引対象を表わすデータとページ番号のデータとはオブジェクトのメタ情報領域に格納される。一実施態様では，索引対象を表わすデータは，オブジェクト・コンテンツを索引対象とするかどうかを指示するものであってもよいし，索引対象データそのものでもよい。
【００１９】
この発明はさらに，上記組版方法に対応する組版装置および組版プログラムを提供している。
【００２０】
この発明による組版装置は，オブジェクトを台紙上の配置領域に関連づけるとともに該オブジェクトについて索引対象を表わす文字列を設定するレイアウト手段，オブジェクトのコンテンツ・データの流し込み処理において，該オブジェクトが配置される台紙のページ番号を取得して該オブジェクトのメタ情報領域に格納する流し込み手段，およびオブジェクトから上記文字列とページ番号を取得して索引を作成する索引作成手段を備えるものである。
【００２１】
一実施態様では，この組版装置はさらに，オブジェクトの配置ページが変更されたときに該オブジェクトのメタ情報領域のページ番号を変更後のページ番号に更新するオブジェクト更新手段，および更新後のページ番号で索引を修正（作成）する索引修正手段を備える。
【００２２】
さらに具体的には，この組版装置は，台紙のページ番号と，そのページ番号のページの台紙に配置されているオブジェクトのメタ情報領域に格納されているページ番号とを比較し，上記両ページ番号が異なる場合には，オブジェクトのメタ情報領域のページ番号を台紙のページ番号に一致するように更新するオブジェクト更新手段，およびオブジェクトのメタ情報領域から更新されたページ番号を取得して，更新された索引を作成する索引修正手段を備える。
【００２３】
この発明による索引更新可能な組版装置は，記憶装置と索引更新装置とを備える。記憶装置は，書籍の索引を作るべき各ページに配置されるオブジェクトについてのデータを記憶する記憶装置であり，各オブジェクトのメタ情報領域には，少なくともそのオブジェクトが配置されているページのページ番号についてのデータが格納されている。索引更新装置は，各ページのページ番号と，そのページに配置されているオブジェクトのメタ情報領域に格納されているページ番号とを比較する比較手段と，上記両ページ番号が異なる場合には，オブジェクトのメタ情報領域のページ番号をそのオブジェクトが配置されているページのページ番号に一致するように更新する手段と，オブジェクトのメタ情報領域から更新されたページ番号のデータを取得して，更新された索引を作成する索引更新手段とを有する。
【００２４】
この発明による組版プログラムは，オブジェクトを台紙上の配置領域に関連づけるとともに該オブジェクトについて索引対象を表わす文字列を設定し，オブジェクトのコンテンツ・データの流し込み処理において，該オブジェクトが配置される台紙のページ番号を取得して該オブジェクトのメタ情報領域に格納し，その後，オブジェクトから上記文字列とページ番号を取得して索引を作成するようにコンピュータを制御するものである。
【００２５】
一実施態様では，この組版プログラムは，オブジェクトの配置ページが変更されたときに該オブジェクトのメタ情報領域のページ番号を変更後のページ番号に更新し，更新後のページ番号で索引を修正するようにコンピュータを制御するものである。
【００２６】
一実施態様では，この組版プログラムは，台紙のページ番号と，そのページ番号のページの台紙に配置されているオブジェクトのメタ情報領域に格納されているページ番号とを比較し，上記両ページ番号が異なる場合には，オブジェクトのメタ情報領域のページ番号を台紙のページ番号に一致するように更新し，その後，オブジェクトのメタ情報領域から更新されたページ番号を取得して，更新された索引を作成するようにコンピュータを制御する索引更新プログラムをさらに含む。
【００２７】
この発明による索引更新可能な組版プログラムは，記憶装置を備え，この記憶装置に，書籍の索引を作るべき各ページについて，そのページに配置されるオブジェクトについてのデータが保持され，各オブジェクトのメタ情報領域には，少なくともそのオブジェクトが配置されているページのページ番号についてのデータが格納されている組版装置において，上記組版装置に含まれるコンピュータを制御するものであり，オブジェクトの配置ページの変更があった後に，各ページのページ番号と，そのページに配置されているオブジェクトのメタ情報領域に格納されているページ番号とを比較し，上記両ページ番号が異なる場合には，オブジェクトのメタ情報領域のページ番号をそのオブジェクトが配置されているページのページ番号に一致するように更新し，その後，オブジェクトのメタ情報領域から更新されたページ番号のデータを取得して，更新された索引を作成するように制御するものである。
【図面の簡単な説明】
【００２８】
【図１】自動組版装置の構成を示すブロック図である。
【図２】台紙上の複数のコマの配置（レイアウト）例を示す。
【図３】あるコマ内のボックスの配置（レイアウト）例，およびボックスのタグの例を示す。
【図４】図３に示すコマ内にオブジェクト・コンテンツが表わされた例を示す。
【図５】流し込みデータの例を示す。
【図６】図２に示す台紙上にオブジェクト・コンテンツを流し込んででき上った紙面の例を示す。
【図７】図６に示す紙面について作成された索引の例を示す。
【図８】オブジェクトの構造を示す。
【図９】(A)および(B)はそれぞれオブジェクトのメタ情報領域に格納される索引指示とページ番号の例を示す。
【図１０】図３に示すコマ（小組）内の各ボックス（タグ）について作成されたオブジェクトの例を示す。
【図１１】図10に示すオブジェクトを利用して，図６に示す紙面について作成された編集ページ・データの例を示す。
【図１２】図11の編集ページ・データの続きを示す。
【図１３】台紙上においてオブジェクト（ボックス）をページをわたって移動した例を示す。
【図１４】図13に示す紙面について作成された索引の例を示す。
【図１５】図13に示す紙面（25ページ）についての編集ページ・データの例を示す。
【図１６】図13に示す紙面（26ページ）についての編集ページ・データの例を示す。
【図１７】台紙作成処理を示すフローチャートである。
【図１８】小組作成処理を示すフローチャートである。
【図１９】流し込みデータ作成処理を示すフローチャートである。
【図２０】流し込み処理および索引作成処理を含む自動組版処理を示すフローチャートである。
【図２１】オブジェクトをページをわたって移動した後に実行される索引更新処理を示すフローチャートである。
【実施例】
【００２９】
図１は（自動）組版装置（システム）の電気的構成の概要を示すものである。組版装置10は，たとえば，パーソナル・コンピュータ等により構成されており，制御部11，記憶部12，操作部13，表示部14およびインターフェース部（Ｉ／Ｆ部）15を備えている。この組版装置10は，レイアウト作成装置（手段）（いわゆるＤＴＰ処理を行う装置部分）を含んでいる。組版装置10はさらに，台紙作成処理装置（手段），小組作成処理装置（手段），流し込みデータ作成処理装置（手段），自動組版処理装置（手段）（索引作成処理を含めてもよい），索引作成処理装置（手段），索引更新処理装置（手段）を含む。これらの各種処理装置（手段）をレイアウト作成装置に含ませてもよい。
【００３０】
記憶部12は，たとえば，ハードディスク・ドライブや不揮発性メモリ等により構成されており，オペレーティング・システムや，アプリケーション等の各種プログラム，各種データ（カタログ，チラシ，書籍，その他の記事のためのデータ，各種テーブル，オブジェクト等）等を記憶する。これらのアプリケーション・プログラムには，ＤＴＰレイアウト・データを編集するためのレイアウト編集用アプリケーション（一般的なレイアウト・ソフトを含む），後述する台紙作成処理，小組作成処理，流し込みデータ作成処理，自動組版処理（索引作成処理を含ませてもよい），索引作成処理，索引更新処理のためのプログラム等が含まれる。上記のプログラムの一部または全部をレイアウト・ソフトに含ませてもよい。これらのプログラムはサーバ装置等からネットワークを介して取得するようにしてもよいし，記録媒体に記録されたものを読み込むようにしてもよい。
【００３１】
操作部13は，たとえばキーボード，マウス等により構成されており，ユーザ（オペレータまたは編集者）の入力操作を受け付け，入力操作に応じた操作信号を制御部11に送る。表示部14は，液晶ディスプレイ装置等で構成されており，制御部11の制御の下，ＤＴＰレイアウト，メニューなどの各種ウィンドウ等を表示する。Ｉ／Ｆ部15は，スキャナやプリンタ等の周辺機器との間で送受信するデータの変換等を行う。
【００３２】
制御部11は，演算機能を有するＣＰＵ，ＲＯＭ，作業用のＲＡＭ等を備えており，操作部13からの操作信号に基づいて，当該操作信号によって指示された処理を行い，その結果を記憶部12，表示部14，Ｉ／Ｆ部15に出力する。
【００３３】
分りやすくするために，まず，組版作業（流し込み）が終了した状態の台紙について図６を参照して説明する。図６に示す台紙20は最終的には表示部14の表示画面に表示されるか，または印刷されたものである。作図の便宜上，コマ４，５（コマを符号31で示す）についてはそのコンテンツの図示が省略され，白地のまま描かれている。
【００３４】
台紙20の上部には「Sofa & Chair」という見出し（符号29で示す）が配置され，その下に台紙20のほぼ全体にわたって５つのコマ31が配置（レイアウト）されている。最上部の横長のコマ31を「コマ１」，その下に並べられたコマ31を左から「コマ２」，「コマ３」，最下段のコマ31を「コマ４」，「コマ５」とする。台紙20はある書籍（パンフレット等を含む）の第25ページのページのものであり，ページ番号「25」が台紙20の下部中央に表わされている。
【００３５】
コマ31の代表としてコマ１について説明すると，コマ31内にいくつかのボックス32〜38が設定（配置，レイアウト）され，これらのボックス内に文字等（文字列）（単語，文章，数字，記号等）または画像が表わされている（これらの文字列，画像をまとめてコンテンツまたはオブジェクト・コンテンツという）。画像はファイル名等（テキスト・データ）で特定される。他のコマについても同様である。
【００３６】
図７は，第25ページの台紙20（図６）を含む書籍の索引の一例を示すものであり，第25ページに関係する事項のみが抜き出して表わされている。索引（index ）は，一般に，書籍の中の語句，事項，画像等（索引対象）の所在（ページ）を捜し出す手引として編集されたものである。図７に示す索引において，図６のコマ１に関しては，「Chair 」および「チェアー」が索引対象として挙げられている。「Chair 」と「チェアー」はボックス35と34にそれぞれ記述されている単語を採用したものである。このように索引対象は，この実施例では，「Chair 」，「チェアー」のように台紙上に表わされるコンテンツ（オブジェクトの内容）（オブジェクト・コンテンツ）そのものである。コンテンツの中の一部（たとえば文章中の特定の単語）を索引対象としてもよいし，台紙上のコンテンツをそれとは別の表現で表わしたもの（たとえば，画像の特徴を文字で表現したもの）を索引対象としてもよい。索引対象はユーザが指示，指定，選択または入力することにより決定される。
【００３７】
図６に示すような紙面の作成過程において，図７に示すような索引を作成する処理について以下に詳しく説明する。
【００３８】
ＤＴＰソフト（レイアウト・ソフト）により，図２に示すような台紙レイアウトが作成されているものとする（この台紙作成処理については後述する（図17）。）。台紙20上には，見出し29（見出し領域と見出し文字）が表わされ，かつ５つのコマ（小組）31（コマ１〜コマ５）が配置されている。さらに各コマ31の内部にボックスが配置されている。
【００３９】
コマ１を例にとると，図３に示すように，画像ボックス32，テキスト・ボックス33〜38が配置され，これらのボックスにそのボックスの名前（タグ）が付けられている。たとえばボックス33の「キャプション」，ボックス34の「商品名」，ボックス35の「商品名英字」，ボックス36の「説明」などである（ボックス37内左端の「原産国」，「サイズ」，「配送」という文字はタグではない）。ボックス32については「画像」というタグが付けられる。これらのボックス内に，最終的に画像または文字（記号，数字を含む）（オブジェクト・コンテンツ）が表わされた結果（流し込みの結果）が図４に示されている。
【００４０】
ボックス内に表わされる画像または文字はオブジェクトとして作成され，または記憶部12内に格納されている。各ボックスにはＤＴＰソフトにしたがって，ユーザによってそれに対応するオブジェクトが対応（関連）づけられる（紐付けされる，リンクされる）（後述する小組作成処理（図18））。
【００４１】
各ボックスを表わすタグとそこに表わされるべきオブジェクト（文字，画像）とを対応づけた形で記述したものが図５に示されている。これが流し込みデータである。図５において，記号＜  ＞および＜／＞で囲まれた文字がタグ（記号＜  ＞および＜／＞も含む）である。
【００４２】
以下に，図３のボックスと図５の流し込みデータとの関連について説明する（図４も参照）。タグ「キー」はコマ番号を表わし，コマ番号が「１」であることが示されている。タグ「商品名英字」は図３のボックス35を示し，ここに「Chair 」という文字（オブジェクト）が配置される（割り付けられる）ことを示す。タグ「商品名」はボックス34に対応し，ここに「チェアー」という文字が配置されることが表わされている。タグ「説明」はボックス36に対応し，ここに「背もたれが70cmと長く、いつまでも座っていたいイスです。」という文章が配置される。タグ「価格」はボックス38に対応し，ここに「￥298000円」という文字が表わされる（オブジェクト・コンテンツは298000という数字のみ）。タグ「原産国」および「サイズ」はボックス37内の上２行を示し，ここに「日本」，「500×125×80cm」という文字が表わされる。タグ「マーク１」〜「マーク３」は，ボックス37内の下１行の配送の項目に表わされる既定の画像データを示し，「１」はそれぞれあらかじめ設定された「無料」，「１週間」，「組立式」という内容を示す。
【００４３】
タグ「画像」は，画像ボックス32に表わされる画像のファイル名「05SS5105」（「05SS5105.eps」と表わされる場合もある）を示す。タグ「キャプション」はボックス33に割り付けられる文字を示し，ここでは「特売」という文字が表わされる。タグ「オブジェクトスタイル」はコマ１内の背面の表現を示し，記号「Ｍ」は背面を青色で着色することを表わしている。
【００４４】
図５に示す流し込みデータによって，図４に示すように，コマ１内の文字や画像が実現することが理解できよう。
【００４５】
上述したように，ボックス内に配置される文字（文章を含む）や画像はオブジェクトと呼ばれる。図８はオブジェクト・データの構造を示す。書籍の作成のために使用されるオブジェクトについては，記憶部12内に図８に示すようなオブジェクト属性情報（属性データ）（または単にオブジェクト・データ）（これをオブジェクトということもある）が記憶されている（新たに作成されて記憶されるものを含む）。オブジェクトは，各オブジェクト固有のオブジェクトＩＤ，オブジェクトの種類（文字か画像か），オブジェクト内容（文字等の場合のテキスト・データ）またはファイル名もしくはルート（画像の場合）（まとめて，オブジェクトのコンテンツという），オブジェクトが配置される位置を表わす座標，その他のデータから構成される。さらにオブジェクトにはユーザが使用できるメタ情報領域が設けられている。このメタ情報領域にオブジェクト・コンテンツの索引に関するデータ，タグに関するデータ等が記憶される。
【００４６】
索引に関連してメタ情報領域に格納されるデータの例が図９(A)，(B)に示されている。索引に関するデータには，索引指示とページ番号がある。索引指示は，そのオブジェクトのコンテンツ（特に文字の場合。画像の場合はファイル名。）を索引対象とするかどうかを指示するものであり，「True」は索引対象とすることを，「False 」は索引対象としないことを示す。ページ番号は，そのコンテンツの掲載ページを表わす。
【００４７】
図17は図２に示す台紙の作成処理の一例を示している。この台紙作成処理は一般的に知られているものであり，制御部11によって実行される。台紙20上の各コマ（小組をペーストするエリア）31もまたオブジェクトである。まず，白紙のドキュメントを作成し（Ｓ21），このドキュメント上に各コマが配置されることになる。各コマのオブジェクト（オブジェクトのフォーマットは図８に示すものと同じ）を作成し（Ｓ23），各オブジェクトに，コマ番号に相当する通し番号を付与する（Ｓ24）。これらの処理を必要な回数（図５に示す流し込みデータ（レコード）の数）繰返し（Ｓ22，Ｓ25），作成したドキュメントを記憶部12の所定のエリアに保存する（Ｓ26）。
【００４８】
図18は，図３に示すコマ（小組）を作成する処理を示している。この処理も一般的に知られているものであり，制御部11によって実行される。
【００４９】
まず，コマ31についての白紙のドキュメントを作成する（Ｓ31）。この白紙のドキュメント上に，各ボックス32〜38が配置される。
【００５０】
各ボックスもまたオブジェクトである。図10に，25ページのコマ１について作成された各ボックス（文字，画像の流し込み先）のオブジェクトの例が示されている。このオブジェクトも図８に示されるフォーマットにしたがう。すなわち，オブジェクトＩＤ（ＩＤ），種類（文字または画像）が記入される。内容（オブジェクト内容またはファイル名）はまだ格納されていない。座標は各ボックス位置を示す。すなわち，台紙20の左上角を原点として右方向にＸ軸，下方向にＹ軸をとったときの，各ボックスの左上角，右下角の座標を（ｘ1，ｙ1），（ｘ2，ｙ2）とすると，座標は（ｘ1，ｙ1，ｘ2，ｙ2）で表わされる。
【００５１】
メタ情報領域には，索引情報とタグ情報が格納される。索引情報は上述したように索引指示とページ番号を含む。タグ情報は流し込みデータ中のコンテンツ（文字列またはファイル名）のタグと関連づける（紐付ける）ためのものである。各ボックスについて，索引情報中の索引指示とタグ情報をユーザが入力する。
【００５２】
小組作成処理（図18）では，各ボックスのオブジェクトを作成し（Ｓ33），作成したオブジェクトのメタ情報領域に，そのボックスに流し込むべきオブジェクト・コンテンツのタグ情報をユーザの指示に応じて格納し（Ｓ34），さらにメタ情報領域に索引指示（TrueまたはFalse ）をユーザの指示に応じて格納する（Ｓ35）。この処理をボックス数，繰返し（Ｓ32，Ｓ36），最後に作成したドキュメントを記憶部12の所定エリアに格納する（Ｓ37）。
【００５３】
このようにして作成されたオブジェクトは，後述する自動組版処理（流し込み処理）（図20）で利用される。
【００５４】
図19は，図５に示すような１つのコマ（小組）に流し込まれる流し込みデータの作成処理を示している。この処理も制御部11によって実行される。ユーザは，文字列や画像ファイル名を入力または選択するとともに，そのタグを指定する。
【００５５】
白紙のテキストを作成する（Ｓ41）。ユーザの指示に応じて，流し込むオブジェクト内容（文字列）またはファイル名（画像名）をテキストに記入し（Ｓ43），ユーザの指示に応じて，それについてタグを指定する（Ｓ44）。これを，流し込むオブジェクトの数（レコード数）繰返す（Ｓ42，Ｓ45）。完成したドキュメントは記憶部12の所定のエリアに格納される。
【００５６】
図11，図12は，流し込み処理においてページ毎に作成される編集ページ・データの例を示している。これは図６に示す書籍の第25ページのデータであり，このページに配置されるコマ（コマ番号）とそのコマ内に配置されるオブジェクトとが関連づけされている。この図において，各オブジェクトは，図18の小組作成処理で作成された図10に示すオブジェクトにおいて，オブジェクト内容またはファイル名（内容）に文字列またはファイル名（図19の流し込みデータ作成処理で作成された図５に示す流し込みデータ中のコンテンツ）が格納され，かつメタ情報領域にページ番号が格納されたものである。このような，編集ページ・データは流し込み処理が終了したときに（図６に示すような紙面が作成されたときに）制御部11によって完成され，記憶部12に記憶される。
【００５７】
図20は制御部11によって実行される自動組版処理，特に流し込み処理および索引作成処理の流れを示している。
【００５８】
図５に示すような流し込みデータは，上述したように，既に流し込みデータ作成処理（図19）またはレイアウト・ソフト（レイアウト作成処理プログラム）により作成されている。この流し込みデータが流し込み処理プログラム（ソフト）に入力される（Ｓ51）。そして，流し込み処理が開始される（Ｓ52）。
【００５９】
流し込み処理は，各ページのコマ31ごとに，コマの数だけ，さらに各コマにおいて各オブジェクトごとにオブジェクトの数繰返し実行される（Ｓ53〜Ｓ61）。まず，図18の小組作成処理で作成され，記憶部12に保存されていた小組のデータ・ファイル（図10）を開く（Ｓ54）。そして，各ボックスのオブジェクトのメタ情報領域内に格納されているタグ情報と一致するタグ情報を持つ流し込みデータ中のコンテンツのデータ（文字列または画像を表わすドット・データ）を，そのボックスに流し込み（Ｓ55），その結果を記憶部12内の所定のワークエリアにコピーする（Ｓ56）。ワークエリアにコピーしたコンテンツを表現したデータを台紙20上にペーストする（Ｓ57）。これにより図６に示すような台紙上に表わされた１コマ中の１ボックスについての紙面ができ上る。
【００６０】
このとき，各オブジェクトのメタ情報領域に格納されている索引指示を取得してチェックし（Ｓ58），索引指示がTrueであれば（Ｓ59でYES ），当該オブジェクトのメタ情報領域のページ番号の場所に，そのとき流し込みを行っているコマ中のボックスが配置されているページのページ番号（このページ番号は流し込み処理の開始にあたって，制御部11が画面上に明示するかまたはユーザによって指定，選択または確認されるので，制御部11は認識している）を格納する（Ｓ60）。Ｓ59でNOの場合にはＳ60はスキップする。
【００６１】
制作しようとしている書籍のすべてのコマ，すべてのページについて上記の流し込み処理を実行する（Ｓ62）。流し込みが終了したときには，図11，図12に示すような，編集ページ・データがページ毎に作成されており，各オブジェクトは，各ページの各コマに関連づけられている。この後，索引の作成処理に移る（Ｓ63）。
【００６２】
すなわち，編集ページ・データ中の各オブジェクトのメタ情報領域に格納されている索引情報中の索引指示がTrueのオブジェクトについて，そのオブジェクトの内容（文字列またはファイル名）と，索引情報中のページ番号を取出して，これらを所定の順序（アルファベット順，五十音順など）で配列することにより，図７に示すような索引のデータを作成する（Ｓ63）。
【００６３】
なお，メタ情報領域に，索引対象を格納する場所を設け，ユーザによって入力，選択または指示された文字列（１または複数）を格納しておけば，オブジェクトの内容に加えて，または代えてこのような文字列も索引対象とすることができる。
【００６４】
書籍等の制作工程では校正作業がある。校正作業において，あるコマの内容，ボックスの内容を変更したときに，そのコマ，ボックスまたはオブジェクトが他のページに移ることがある。この場合には，索引の修正も必要となる。
【００６５】
図13は，第25ページの台紙20と第26ページの台紙21とを示すものである。図６と対比して分るように，第25ページのコマ３の内容がそっくり第26ページのコマ７に移動している。
【００６６】
このような修正があったときには，索引もまた図14に示すように修正される。すなわち，索引対象「Isu Yellow」および「いすイエロー」のページ番号が「25」から「26」に変更される（図７と対比のこと）。このような索引の修正は，以下に示すように，索引更新処理により制御部11によって自動的に行なわれる。
【００６７】
図13に示すように，第25ページのコマ３が第26ページのコマ７に移動されたときに，これに伴って，第25ページおよび第26ページの編集ページ・データ中のオブジェクトも図15，図16に示すように，移動する。すなわち，第25ページの編集ページ・データ（図15）のコマ３に関連するオブジェクトが，第26ページの編集ページ・データ（図16）に移り，コマ７に関連づけられる。このとき，オブジェクトの内容，特にメタ情報領域のページ番号はまだ変っていない。このようなオブジェクトの移動（関連付けの変更）は台紙上で（記憶部12内で）コマを移動したときに制御部11によって行なわれる。あるコマ内の特定のオブジェクトのみを移動したときも同様である（オブジェクトを新たに加えたときには上述した流し込み処理により，そのメタ情報領域には索引対象と正しいページ番号が格納される）。
【００６８】
ページをわたって移動したオブジェクトについてはそのメタ情報領域に格納されている索引に関するデータのうち，ページ番号について移動後のページのページ番号と食い違い（齟齬）が生じるので，これを修正すれば索引の自動更新（オブジェクトのメタ情報領域の索引情報に基づく索引の自動再作成）が可能となる。
【００６９】
図21は制御部11によって行なわれる索引更新処理を示している。
【００７０】
オブジェクトごとに，すべてのオブジェクトについて，次の処理を繰返す（Ｓ71〜Ｓ76）。すなわち，オブジェクトのメタ情報領域に格納されている索引データ中のページ番号を取得し（読取り）（Ｓ72），そのオブジェクトが関連づけられている（そのオブジェクトが掲載されているページの）編集ページ・データ（図15，図16）のページ番号を取得し（読取り）（Ｓ73），両ページ番号が一致するか，異なるかをチェックする（Ｓ74）。両ページ番号が異なる場合には，オブジェクトのメタ情報領域のページ番号を編集ページ・データのページ番号と一致するように変更する（Ｓ75）。図16において，コマ７のＩＤが250032のオブジェクトにおいて，ページ番号が25から26に変更されることが矢印で示されている。
【００７１】
以上の処理により，編集ページ・データのページ番号と，その編集ページに配置されているオブジェクトのメタ情報領域に格納されている索引のページ番号とが，すべてのオブジェクトについて一致することになる。
【００７２】
したがって，すべてのオブジェクトのメタ情報領域内の索引情報中のページ番号は，そのオブジェクトの台紙上の現実の配置ページを表わしているから，オブジェクトの内容（文字列）（索引対象となる）とメタ情報領域のページ番号とを読出して，図20のＳ63の処理と同じように，読出した索引対象を所定の順序に配列し，索引を作成することができる（Ｓ77）。このようにして作成されたのが，図14に示す索引である。
【符号の説明】
【００７３】
10  （自動）組版装置（システム）
11  制御部
12  記憶部
13  操作部
14  表示部
【図１】
2015103069.tif 000003
【図７】
2015103069.tif 000004
【図８】
2015103069.tif 000005
【図９】
2015103069.tif 000006
【図１０】
2015103069.tif 000007
【図１１】
2015103069.tif 000008
【図１２】
2015103069.tif 000009
【図１４】
2015103069.tif 000010
【図１５】
2015103069.tif 000011
【図１６】
2015103069.tif 000012
【図１７】
2015103069.tif 000013
【図１８】
2015103069.tif 000014
【図１９】
2015103069.tif 000015
【図２０】
2015103069.tif 000016
【図２１】
2015103069.tif 000017
【図２】
2015103069.tif 000018
【図３】
2015103069.tif 000019
【図４】
2015103069.tif 000020
【図５】
2015103069.tif 000021
【図６】
2015103069.tif 000022
【図１３】
2015103069.tif 000023